(57)【特許請求の範囲】
【請求項１】
第１被取付部および第２被取付部をそれぞれ含む可撓性の部材から構成され、所定の電源装置から電力を供給されることによって発光する発光面が表面に設けられた照明パネルと、
前記第１被取付部が取り付けられる第１取付部および前記第２被取付部が取り付けられる第２取付部を含み、前記発光面が凸状となるように前記照明パネルを湾曲させた状態で支持する支持部材と、
前記第１取付部および前記第２取付部の間隔を変える間隔調節機構と、
前記発光面に電気的に接続された電気回路ユニットと、を備え、
前記電気回路ユニットは、前記照明パネルの湾曲によって形成された前記照明パネルの裏面側の空間内に配置され、
前記間隔調節機構が前記第１取付部および前記第２取付部の前記間隔を変えることによって、前記支持部材により支持された前記照明パネルの前記発光面の曲率が変化する、
照明装置。
【請求項２】
前記照明パネルの裏面側に設けられた、前記照明装置を天井または壁面に固定するための固定部材をさらに備える、
請求項１に記載の照明装置。
【請求項３】
前記照明装置が所定の位置に固定された状態においては、前記電気回路ユニットは外部から視認されないように位置している、
請求項２に記載の照明装置。
【請求項４】
前記間隔調節機構は、前記第１取付部および前記第２取付部が同一平面上に位置するように、前記第１取付部およびまたは前記第２取付部を進退移動させる、
請求項１から３のいずれかに記載の照明装置。
【請求項５】
前記第１取付部およびまたは前記第２取付部は、前記発光面の前記曲率が変化される際、前記照明パネルの湾曲の変化に合わせて回動する、
請求項１から４のいずれかに記載の照明装置。
【請求項６】
前記電力は、前記第１被取付部と前記第１取付部との接触部、およびまたは、前記第２被取付部と前記第２取付部との接触部を通して前記発光面に供給される、
請求項１から５のいずれかに記載の照明装置。
【発明の詳細な説明】
【技術分野】
【０００１】
本発明は、照明装置に関し、特に、湾曲された状態で支持される照明パネルを備えた照明装置に関する。
【背景技術】
【０００２】
特開２００９−２０６０２９号公報（特許文献１）には、照明パネルとして有機ＥＬ（Organic  Electro-Luminescence）を備えた照明装置が開示される。有機ＥＬを備えた照明装置は、いわゆる面光源として機能し、発光面の全体が発光する。
【０００３】
有機ＥＬなどの面状の発光体は、平面形状であるため、省スペース化が図れる。有機ＥＬなどの面状の発光体は、非常に薄い板ガラスまたは樹脂製の基板を用いて製造されることによって、可撓性を有する。自由な形状に取り付けられることができるため、有機ＥＬなどの面状の発光体は、デザイン性の高い照明器具用途としての期待が高い。
【０００４】
さらに、白熱灯若しくはＬＥＤ（Light Emitting Diode）のような点光源、および蛍光灯のような線光源とは異なり、有機ＥＬを用いた面光源は輝度を抑えた柔らかな光の演出が可能であり、高品位な照明器具用途として近年注目される。
【０００５】
ここで、特許文献１の照明装置においては、照明パネルが支持部材によって湾曲された状態で支持される。照明パネルは、発光面が円弧状に突出した第１形態と、発光面が円弧状に凹んだ第２形態とが選択できるように構成される。特許文献１は、この照明装置によれば、配光特性（光の拡散度合い）を選択することができるとともに、良好なインテリア性を演出することができると述べている。
【先行技術文献】
【特許文献】
【０００６】
【特許文献１】特開２００９−２０６０２９号公報
【発明の概要】
【発明が解決しようとする課題】
【０００７】
特開２００９−２０６０２９号公報（特許文献１）の照明装置は、２種類の配光特性しか選択することができない。本発明は、湾曲された状態で支持される照明パネルを備えた照明装置であって、より多くの配光特性を実現することが可能な照明装置を提供することを目的とする。
【課題を解決するための手段】
【０００８】
本発明に基づく照明装置は、第１被取付部および第２被取付部をそれぞれ含む可撓性の部材から構成され、所定の電源装置から電力を供給されることによって発光する発光面が表面に設けられた照明パネルと、上記第１被取付部が取り付けられる第１取付部および上記第２被取付部が取り付けられる第２取付部を含み、上記発光面が凸状となるように上記照明パネルを湾曲させた状態で支持する支持部材と、上記第１取付部および上記第２取付部の間隔を変える間隔調節機構と、上記発光面に電気的に接続された電気回路ユニットと、を備え、上記電気回路ユニットは、上記照明パネルの湾曲によって形成された上記照明パネルの裏面側の空間内に配置され、上記間隔調節機構が上記第１取付部および上記第２取付部の上記間隔を変えることによって、上記支持部材により支持された上記照明パネルの上記発光面の曲率が変化する。
【０００９】
好ましくは、上記照明パネルの裏面側に設けられた、上記照明装置を天井または壁面に固定するための固定部材をさらに備える。好ましくは、上記照明装置が所定の位置に固定された状態においては、上記電気回路ユニットは上記照明パネルの存在によって外部から視認されないように位置している。好ましくは、上記間隔調節機構は、上記第１取付部および上記第２取付部が同一平面上に位置するように、上記第１取付部およびまたは上記第２取付部を進退移動させる。
【００１０】
好ましくは、上記第１取付部およびまたは上記第２取付部は、上記発光面の上記曲率が変化される際、上記照明パネルの湾曲の変化に合わせて回動する。
【００１１】
好ましくは、上記電力は、上記第１被取付部と上記第１取付部との接触部、およびまたは、上記第２被取付部と上記第２取付部との接触部を通して上記発光面に供給される。
【発明の効果】
【００１２】
本発明によれば、湾曲された状態で支持される照明パネルを備えた照明装置であって、より多くの配光特性を実現することが可能な照明装置を得ることができる。
【図面の簡単な説明】
【００１３】
【図１】実施の形態１における照明装置を示す斜視図である。
【図２】実施の形態１における照明装置を示す底面図である。
【図３】図１中のＩＩＩ−ＩＩＩ線に沿った矢視断面図である。
【図４】実施の形態１における照明装置を示す側面図であり、図３中の矢印ＩＶ方向から見た当該照明装置を示す図である。
【図５】実施の形態１における照明装置の支持器具の付近を拡大して示す断面図である。
【図６】実施の形態１における照明装置の間隔調節機構の付近を拡大して示す断面図である。
【図７】実施の形態１における照明装置の第１の使用態様を示す斜視図である。
【図８】実施の形態１における照明装置の第２の使用態様を示す斜視図である。
【図９】実施の形態１の第１変形例における照明装置の間隔調節機構の付近を拡大して示す断面図である。
【図１０】実施の形態１の第２変形例における照明装置の間隔調節機構の付近を拡大して示す断面図である。
【図１１】実施の形態１の第３変形例における照明装置の間隔調節機構の付近を拡大して示す断面図である。
【図１２】実施の形態１の第４変形例における照明装置を示す斜視図である。
【図１３】実施の形態１の第４変形例における照明装置（第１の使用態様）の支持器具の付近を拡大して示す断面図である。
【図１４】実施の形態１の第４変形例における照明装置（第２の使用態様）の支持器具の付近を拡大して示す断面図である。
【図１５】実施の形態２における照明装置に用いられる支持部材を示す底面図である。
【図１６】実施の形態２における照明装置に用いられる照明パネルを示す底面図である。
【図１７】図１５中のＸＶＩＩ線で囲まれる領域の拡大図である。
【図１８】照明装置に用いられる支持器具と可動部の先端部との接触部の付近を拡大して示す斜視図である。
【図１９】実施の形態３における照明装置を示す斜視図である。
【図２０】図１９中のＸＸ−ＸＸ線に沿った矢視断面図である。
【発明を実施するための形態】
【００１４】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。
【００１５】
［実施の形態１］
図１〜図６を参照して、本実施の形態における照明装置１００について説明する。図１は、照明装置１００を示す斜視図である。図２は、照明装置１００を示す底面図である。図３は、図１中のＩＩＩ−ＩＩＩ線に沿った矢視断面図である。図４は、照明装置１００を示す側面図であり、図３中の矢印ＩＶ方向から見た照明装置１００を示す図である。図５は、照明装置１００の支持器具２３，２４の付近を拡大して示す断面図である。図６は、照明装置１００の間隔調節機構３２の付近を拡大して示す断面図である。
【００１６】
図１に示すように、照明装置１００は、照明パネル１０、支持部材２０、および間隔調節機構３１，３２を備える。
【００１７】
（照明パネル１０）
照明パネル１０は、可撓性を有する。照明パネル１０は、矩形状に形成され、表面１１、裏面１２、端部１３（第１被取付部）、および端部１４（第２被取付部）を有する。照明パネル１０の厚さは、たとえば０．５ｍｍ〜１０ｍｍである。照明パネル１０の表面１１には、矩形状の発光面１８が設けられる。発光面１８は、照明パネル１０の表面１１の全体に設けられていてもよい。発光面１８は、電力を供給されることによって発光する。発光面１８は、たとえば導光板または有機ＥＬ（ＯＬＥＤ：Organic  Light  Emitting  Diode）素子から構成される。
【００１８】
照明パネル１０の裏面１２には、発光面１８に電力を供給するための電気接点１６，１７（図５参照）が設けられる。電気接点１６は、照明パネル１０の端部１４寄りの裏面１２上に設けられる。電気接点１７は、照明パネル１０の端部１３寄りの裏面１２上に設けられる。
【００１９】
発光面１８が有機ＥＬ素子から構成される場合、発光面１８内の有機発光層の両面に電力が供給される。電力の供給によって、有機発光層は可視光を発光する。発光面１８側（表面１１側）には、有機発光層上に透明電極層（ＩＴＯなど）が設けられ、透明電極層上は封止層によって密閉される。有機発光層の下（裏面１２側）には、発光した光を反射するためのたとえばアルミニウム製の電極層が設けられる。電極層の下（裏面１２側）にはベース層が設けられる。有機発光層の上下面からは、裏面１２に設けられた電気接点１６，１７（図５参照）に向かって所定のパターンが配線される。
【００２０】
（支持部材２０）
図２を参照して、支持部材２０について説明する。図２においては、図示上の便宜のため、支持部材２０に取り付けられた照明パネル１０が点線で示される。支持部材２０は、支持器具２３（第１取付部）、支持器具２４（第２取付部）、および平板部２５を有する。
【００２１】
支持器具２３および支持器具２４は、円柱状にそれぞれ構成され、間隔を空けて互いに対向配置される。支持器具２３の一方（図２紙面上方側）の端部と支持器具２４の一方（図２紙面上方側）の端部との間に、間隔調節機構３１（詳細は後述する）が設けられる。支持器具２３の他方（図２紙面下方側）の端部と支持器具２４の他方（図２紙面下方側）の端部との間に、間隔調節機構３２（詳細は後述する）が設けられる。支持器具２３、支持器具２４、間隔調節機構３１、および間隔調節機構３２は、全体として枠状に配置される。
【００２２】
平板部２５（固定部材）は、間隔調節機構３１および間隔調節機構３２の間に設けられる。平板部２５には、複数の貫通孔２５Ｈが設けられる。貫通孔２５Ｈにネジまたはボルトなどの螺合手段が挿通されることによって、照明装置１００は天井５０（図３，図４参照）または側壁（図示せず）などに固定されることができる。天井５０の裏にアンカーボルトを設け、そのアンカーボルトからの吊り下げ金具に対し、平板部２５がネジ固定されるように構成されてもよい。
【００２３】
図３および図４を参照して、支持部材２０は、発光面１８が凸状となるように照明パネル１０を湾曲させた状態で支持する。
【００２４】
図５を参照して具体的に説明する。支持器具２３は、支持器具２３の表面から所定の深さで略直方体状に凹設される差込部２７を有する。差込部２７内には、電気接点２７Ｅが設けられる。電気接点２７Ｅは、差込部２７の内表面から板バネ状に起立するように設けられる。
【００２５】
同様に、支持器具２４は、支持器具２４の表面から所定の深さで略直方体状に凹設される差込部２８を有する。差込部２８内には、電気接点２８Ｅが設けられる。電気接点２８Ｅは、差込部２８の内表面から板バネ状に起立するように設けられる。
【００２６】
支持器具２３の差込部２７内に、照明パネル１０の端部１３が差し込まれる（矢印ＡＲ１参照）。照明パネル１０の端部１３は、支持器具２３に取り付けられる。電気接点２７Ｅは、差込部２７内に差し込まれた照明パネル１０の電気接点１７に対して、矢印ＡＲ２方向に付勢するように接触する。当該接触によって、電気接点２７Ｅと電気接点１７とは相互に電気的に接続される。
【００２７】
支持器具２４の差込部２８内に、照明パネル１０の端部１４が差し込まれる（矢印ＡＲ１参照）。照明パネル１０の端部１４は、支持器具２４に取り付けられる。電気接点２８Ｅは、差込部２８内に差し込まれた照明パネル１０の電気接点１６に対して、矢印ＡＲ２方向に付勢するように接触する。当該接触によって、電気接点２８Ｅと電気接点１６とは相互に電気的に接続される。
【００２８】
電気接点２７Ｅが照明パネル１０の端部１３を付勢するとともに、電気接点２８Ｅが照明パネル１０の端部１４を付勢することによって、照明パネル１０は支持部材２０によって両端支持される。照明パネル１０が支持部材２０に支持された状態においては、発光面１８が凸状となるように照明パネル１０は湾曲する（図３参照）。
【００２９】
図３および図４を再び参照して、上述のとおり、支持部材２０は、天井５０等に固定されることができる。天井５０上には、電源装置６０が配設される。電源装置６０には、配電線６１を通して外部から電力（商用電源などのＡＣ電圧）が供給される。
【００３０】
電源装置６０には、電源ケーブル６２が接続される。電源ケーブル６２は、天井５０に設けられた開口５１を通過して、電気接点２７Ｅ（図５参照）および電気接点２８Ｅ（図５参照）にそれぞれ接続される。電源装置６０からの電力は、電源ケーブル６２を通して電気接点２７Ｅおよび電気接点２８Ｅにそれぞれ供給される。電気接点２７Ｅ，２８Ｅに供給された電力は、電気接点１７，１６（図５参照）を通して発光面１８に供給される。
【００３１】
（間隔調節機構３１・間隔調節機構３２）
図１、図２および図６を参照して、間隔調節機構３１および間隔調節機構３２について説明する。図１および図２に示すように、間隔調節機構３１は、固定部３３、可動部３５、および可動部３７を含む。間隔調節機構３２は、固定部３４、可動部３６、および可動部３８を含む。
【００３２】
図６に示すように、間隔調節機構３２においては、固定部３４が中空の角筒状に構成される。固定部３４の中に、可動部３８が挿入される。可動部３８も、中空の角筒状に構成される。可動部３８の内部に、上述の電源ケーブル６２が挿通される。
【００３３】
固定部３４の内周面３４Ｓに対して、可動部３８の外周面３８Ｓは摺接する（摩擦係合する）。固定部３４に対して、可動部３８は矢印ＤＲ方向に進退移動可能に構成される。
【００３４】
図１および図２を再び参照して、間隔調節機構３２における可動部３６も、可動部３８と同様に、固定部３４に対して進退移動可能に構成される。同様に、間隔調節機構３１における可動部３５および可動部３７も、固定部３３に対して進退移動可能に構成される。
【００３５】
可動部３７が固定部３３に対して進退移動し、可動部３８が可動部３７に協働するように固定部３４に対して進退移動することによって、支持器具２３もこれらに合わせて進退移動する。同様に、可動部３５が固定部３３に対して進退移動し、可動部３６が可動部３５に協働するように固定部３４に対して進退移動することによって、支持器具２４もこれらに合わせて進退移動する。本実施の形態では、支持器具２３および支持器具２４が常に同一平面上に位置するように、間隔調節機構３１，３２によって支持器具２３および支持器具２４が進退移動される。
【００３６】
本実施の形態における照明装置１００は、以上のように構成される。照明装置１００においては、支持器具２３，２４にそれぞれ設けられた電気接点２７Ｅ，２８Ｅ、および照明パネル１０に設けられた電気接点１６，１７（図５参照）を通して、電源装置６０（図３，図４参照）から照明パネル１０の発光面１８に電力が供給される。電力の供給によって発光面１８が発光し、照明装置１００は照明することが可能となる。
【００３７】
（作用・効果）
図７は、照明装置１００の第１の使用態様を示す斜視図である。図７に示すように、照明装置１００は、第１の使用態様においては、発光面１８が矢印ＤＲ１方向に光を照射する。発光面１８からの光は、やや直進性を有している。
【００３８】
図８は、照明装置１００の第２の使用態様を示す斜視図である。図８に示すように、照明装置１００は、第２の使用態様においては、発光面１８が矢印ＤＲ２方向に光を照射する。発光面１８の光は、高い拡散性を有している。
【００３９】
図７（第１の使用態様）における支持器具２３と支持器具２４との間隔は、図８（第２の使用態様）における支持器具２３と支持器具２４との間隔よりも広い。図７（第１の使用態様）における発光面１８の曲率は、図８（第２の使用態様）における発光面１８の曲率よりも大きい。発光面１８の曲率は、間隔調節機構３１，３２が支持器具２３と支持器具２４との間隔を変えることによって調節されることができる。発光面１８の曲率（たわみ量）が変化することによって、光の配光特性（光の拡散度合い）が変化する。
【００４０】
冒頭に説明したように、特開２００９−２０６０２９号公報（特許文献１）の照明装置は、２種類の配光特性しか有していない。一方で、本実施の形態における照明装置１００は、上記の第１および第２の使用態様の他にも、間隔調節機構３１，３２が支持器具２３と支持器具２４との間隔を任意に調節することによって、複数種類の配光特性を得ることができる。照明装置１００は、使用用途および使用場所（設置場所）に応じた配光特性を実現することができる。
【００４１】
照明装置１００は、間隔調節機構３１，３２が支持器具２３と支持器具２４との間隔を任意に調節することによって、取り付けに必要なスペース（照明装置１００の投影面積）を大小に変化させることもできる。設置場所の条件に合わせて、照明装置１００は取り付けられることができる。
【００４２】
照明装置１００は、間隔調節機構３１，３２が支持器具２３と支持器具２４との間隔を任意に調節する。大きさの異なる複数種類の照明パネル１０が準備されても、上記間隔が調節されることによって、これらの照明パネル１０は支持部材２０に対して容易に取り付けられることができる。
【００４３】
［第１変形例］
図９を参照して、実施の形態１の第１変形例における照明装置１００Ａについて説明する。
【００４４】
上述の実施の形態１における照明装置１００においては（図６参照）、固定部３４の内周面３４Ｓに対して、可動部３８の外周面３８Ｓは摺接（摩擦係合）する。
【００４５】
図９に示すように、照明装置１００Ａの間隔調節機構３２Ａにおいては、固定部３４Ａの内周面３４Ｓに対して、可動部３８Ａの外周面３８Ｓは螺合する。内周面３４Ｓおよび外周面３８Ｓにはネジ加工が施される。可動部３８Ａは固定部３４Ａに対して矢印ＤＲ方向に進退移動可能である。他の可動部および固定部についても同様に構成される。当該構成によっても、上述の実施の形態１と同様の作用および効果を得ることができる。
【００４６】
［第２変形例］
図１０を参照して、実施の形態１の第２変形例における照明装置１００Ｂについて説明する。
【００４７】
図１０に示すように、照明装置１００Ｂの間隔調節機構３２Ｂにおいては、固定部３４Ｂと可動部３８Ｂとが蛇腹状の部材によって接合される。当該構成によっても、可動部３８Ｂは固定部３４Ｂに対して矢印ＤＲ方向に進退移動可能である。他の可動部および固定部についても同様に構成される。当該構成によっても、上述の実施の形態１と同様の作用および効果を得ることができる。
【００４８】
［第３変形例］
図１１を参照して、実施の形態１の第３変形例における照明装置１００Ｃについて説明する。
【００４９】
図１１に示すように、照明装置１００Ｃの間隔調節機構３２Ｃにおいては、固定部３４Ｃと可動部３８Ｃとがパンタグラフ状の部材によって接合される。当該構成によっても、可動部３８Ｃは固定部３４Ｃに対して矢印ＤＲ方向に進退移動可能である。他の可動部および固定部についても同様に構成される。当該構成によっても、上述の実施の形態１と同様の作用および効果を得ることができる。
【００５０】
［第４変形例］
図１２を参照して、実施の形態１の第４変形例における照明装置１００Ｄについて説明する。
【００５１】
照明装置１００Ｄにおける支持器具２３Ｄは、回動部２３Ｄ１、固定部２３Ｄ２、および固定部２３Ｄ３から構成される。回動部２３Ｄ１は、両端にそれぞれ配置された固定部２３Ｄ２，２３Ｄ３によって回動可能に軸支される。回動部２３Ｄ１に、照明パネル１０の端部１３が差し込まれる。
【００５２】
照明装置１００Ｄにおける支持器具２４Ｄは、回動部２４Ｄ１、固定部２４Ｄ２、および固定部２４Ｄ３から構成される。回動部２４Ｄ１は、両端にそれぞれ配置された固定部２４Ｄ２，２４Ｄ３によって回動可能に軸支される。回動部２４Ｄ１に、照明パネル１０の端部１４が差し込まれる。
【００５３】
図１３は、照明装置１００Ｄ（第１の使用態様）の支持器具２３Ｄ，２４Ｄの付近を拡大して示す断面図である。図１３に示すように、第１の使用態様においては、照明パネル１０の端部１３は、水平方向に対して角度θ１を為すように支持器具２３Ｄに保持される。照明パネル１０の端部１４も、水平方向に対して角度θ１を為すように支持器具２４Ｄに保持される。
【００５４】
図１４は、照明装置１００Ｄ（第２の使用態様）の支持器具２３Ｄ，２４Ｄの付近を拡大して示す断面図である。図１４に示すように、第２の使用態様においては、照明パネル１０の端部１３は、水平方向に対して角度θ２を為すように支持器具２３Ｄに保持される（θ１＜θ２）。照明パネル１０の端部１４も、水平方向に対して角度θ２を為すように支持器具２４Ｄに保持される。
【００５５】
照明装置１００Ｄにおいては、発光面１８の曲率が変化される際（第１の使用態様から第２の使用態様に変化する際）、照明パネル１０の発光面１８の湾曲（湾曲状態）が変化する。この湾曲の変化に応じて、支持器具２３Ｄ（図１２における回動部２３Ｄ１）は、発光面１８の湾曲の変化に追従するように矢印ＤＲ３方向に回動する。
【００５６】
同様に、支持器具２４Ｄ（図１２における回動部２４Ｄ１）も、発光面１８の湾曲の変化に追従するように矢印ＤＲ４方向に回動する。当該構成によれば、発光面１８の曲率が変化されたとしても、照明パネル１０の端部１３，１４に生じる負荷（力学的ストレス）が緩和される。
【００５７】
［実施の形態２］
図１５〜図１８を参照して、実施の形態２における照明装置１００Ｅについて説明する。図１５は、照明装置１００Ｅに用いられる支持部材２０Ｅを示す底面図である。図１６は、照明装置１００Ｅに用いられる照明パネル１０Ｅを示す底面図である。図１７は、図１５中のＸＶＩＩ線で囲まれる領域の拡大図である。図１８は、照明装置１００Ｅに用いられる支持器具１３Ｅと可動部３７の先端部３７Ｇとの接触部の付近を拡大して示す斜視図である。
【００５８】
図１５に示すように、照明装置１００Ｅに用いられる支持部材２０Ｅは、上述の実施の形態１における支持部材２０（図２参照）とは異なり、支持器具２３，２４（図２参照）を有していない。可動部３７の先端部３７Ｇの内部に、内部電極６４（図１７参照）が設けられる。同様に、可動部３８の先端部３８Ｇの内部に、内部電極６５が設けられる。可動部３５の先端部３５Ｇの内部に、内部電極６４が設けられる。可動部３６の先端部３６Ｇの内部に、内部電極６５が設けられる。
【００５９】
図１６に示すように、照明装置１００Ｅ（図１５参照）においては、支持器具１３Ｅが照明パネル１０Ｅの端部１３に対して一体的に設けられる。本実施の形態においては、支持器具１３Ｅが、本発明における「第１被取付部」を構成する。支持器具１３Ｅの長手方向の両端部に、電極２１，２２がそれぞれ突出するように設けられる。
【００６０】
同様に、支持器具１４Ｅが照明パネル１０Ｅの端部１４に対して一体的に設けられる。本実施の形態においては、支持器具１４Ｅが、本発明における「第２被取付部」を構成する。支持器具１４Ｅの長手方向の両端部にも、電極２１，２２がそれぞれ突出するように設けられる。
【００６１】
図１７に示すように、可動部３７の先端部３７Ｇの内部には、内部電極６４を外方に向かって付勢するバネ６３が設けられる。可動部３５（図１５参照）の先端部３５Ｇ（図１５参照）の内部に設けられた内部電極６４（図１５参照）も、同様に付勢される。可動部３８（図１５参照）の先端部３８Ｇ（図１５参照）の内部に設けられた内部電極６５（図１５参照）も、同様に付勢される。可動部３６（図１５参照）の先端部３６Ｇ（図１５参照）の内部に設けられた内部電極６５（図１５参照）も、同様に付勢される。
【００６２】
図１７および図１８に示すように、照明パネル１０Ｅが支持部材２０Ｅに取り付けられる際には、支持器具１３Ｅの先端に設けられた電極２１が、可動部３７の先端部３７Ｇに嵌め込まれる。バネ６３は、電極２１に対して内部電極６４を付勢する。
【００６３】
この状態で、支持器具１３Ｅの他方の先端に設けられた電極２２（図１６参照）が、可動部３８（図１５参照）の先端部３８Ｇ（図１５参照）に対して同様に嵌め込まれる。内部電極６５（図１５参照）は、電極２２（図１６参照）に対して付勢される。支持器具１３Ｅは、可動部３７の先端部３７Ｇと可動部３８の先端部３８Ｇとの間に固定される。
【００６４】
支持器具１３Ｅ（第１被取付部）に対して、本実施の形態においては、先端部３７Ｇおよび先端部３８Ｇが、本発明における「第１取付部」を構成する。上述の実施の形態１の第４変形例（図１３，図１４参照）と同様に、支持器具１３Ｅは、先端部３７Ｇおよび先端部３８Ｇに対して回動可能に構成されてもよい。
【００６５】
図１５および図１６を再び参照して、支持器具１４Ｅについても同様に、支持器具１４Ｅの先端に設けられた電極２１が、可動部３５の先端部３５Ｇに嵌め込まれる。内部電極６４は、電極２１に対して付勢される。
【００６６】
この状態で、支持器具１４Ｅの他方の先端に設けられた電極２２が、可動部３６の先端部３６Ｇに嵌め込まれる。内部電極６５は、電極２２に対して付勢される。支持器具１４Ｅは、可動部３５の先端部３５Ｇと可動部３６の先端部３６Ｇとの間に固定される。
【００６７】
支持器具１４Ｅ（第２被取付部）に対して、本実施の形態においては、先端部３５Ｇおよび先端部３６Ｇが、本発明における「第２取付部」を構成する。上述の実施の形態１の第４変形例（図１３，図１４参照）と同様に、支持器具１４Ｅは、先端部３５Ｇおよび先端部３６Ｇに対して回動可能に構成されてもよい。
【００６８】
以上のように構成される照明装置１００Ｅによっても、可動部３７は固定部３３に対して矢印ＤＲ方向（図１８参照）に進退移動可能である。他の可動部および固定部についても同様に構成される。当該構成によっても、上述の実施の形態１と同様の作用および効果を得ることができる。
【００６９】
［実施の形態３］
図１９および図２０を参照して、本実施の形態における照明装置１００Ｆについて説明する。図１９は、照明装置１００Ｆを示す斜視図である。図２０は、図１９中のＸＸ−ＸＸ線に沿った矢視断面図である。
【００７０】
図１９および図２０を参照して、照明パネル１０が湾曲した状態で支持部材２０によって両端支持されることによって、端部１３および端部１４の間（若しくは平板部２５および照明パネル１０の裏面１２の間）に空間Ｓが形成される。
【００７１】
照明装置１００Ｆにおいては、電源回路ユニット６６（電気回路ユニット）が当該空間Ｓ内に位置するように、平板部２５の表面に固定される。図２０に示すように、電源回路ユニット６６には、天井５０に設けられた開口５１および平板部２５に設けられた開口２６をそれぞれ通して、配電線６１が接続される。
【００７２】
外部の電源装置（図示せず）から配電線６１を通して電源回路ユニット６６に電力が供給される。電源回路ユニット６６は、支持器具２３内の電気接点２７Ｅ（図５参照）および支持器具２４内の電気接点２８Ｅ（図５参照）を通して、照明パネル１０の発光面１８に電力（駆動電力）を供給する。駆動電力の供給によって、照明パネル１０の発光面１８は発光することができる。
【００７３】
電源回路ユニット６６は、調光機能またはタイマー機能など備えているとよい。電源回路ユニット６６の配設に際しては、照明パネル１０が取り付けられた状態では電源回路ユニット６６が外部から視認されないように意匠的な配慮がされるとよい。この場合、照明パネル１０を支持部材２０から取り外すことで、電源回路ユニット６６にアクセスすることが可能である。
【００７４】
以上のように構成される照明装置１００Ｆによっても、間隔調節機構３１，３２が、支持器具２３と支持器具２４との間隔を任意に調節することによって、複数種類の配光特性を得ることができ、上述の実施の形態１と同様の作用および効果を得ることができる。
【００７５】
以上、本発明に基づいた各実施の形態について説明したが、今回開示された各実施の形態はすべての点で例示であって制限的なものではない。図１を参照して、上述の各実施の形態における照明装置は、可動部３７および可動部３８が協働可能に構成され、可動部３５および可動部３６が協働可動に構成される。これとは異なり、可動部３７，３８のみが協働可能に構成されていてもよく、可動部３５，３６のみが協働可能に構成されていてもよい。このように、本発明の技術的範囲は特許請求の範囲によって示され、特許請求の範囲と均等の意味および範囲内でのすべての変更が含まれることが意図される。
【符号の説明】
【００７６】
１０，１０Ｅ  照明パネル、１１  表面、１２  裏面、１３，１４  端部、１３Ｅ，１４Ｅ，２３，２３Ｄ，２４，２４Ｄ  支持器具、１６，１７，２７Ｅ，２８Ｅ  電気接点、１８  発光面、２０，２０Ｅ  支持部材、２１，２２  電極、２３Ｄ１，２４Ｄ１  回動部、２３Ｄ２，２３Ｄ３，２４Ｄ２，２４Ｄ３，３３，３４，３４Ａ，３４Ｂ，３４Ｃ  固定部、２５  平板部、２５Ｈ  貫通孔、２６，５１  開口、２７，２８  差込部、３１，３２，３２Ａ，３２Ｂ，３２Ｃ  間隔調節機構、３４Ｓ  内周面、３５，３６，３７，３８，３８Ａ，３８Ｂ，３８Ｃ  可動部、３５Ｇ，３６Ｇ，３７Ｇ，３８Ｇ  先端部、３８Ｓ  外周面、５０  天井、６０  電源装置、６１  配電線、６２  電源ケーブル、６３  バネ、６４，６５  内部電極、６６  電源回路ユニット、１００，１００Ａ，１００Ｂ，１００Ｃ，１００Ｄ，１００Ｅ，１００Ｆ  照明装置、ＡＲ１，ＡＲ２，ＤＲ，ＤＲ１，ＤＲ２，ＤＲ３，ＤＲ４，ＩＶ  矢印、Ｓ  空間。
【図１】
0005644641.tif 000002
【図２】
0005644641.tif 000003
【図３】
0005644641.tif 000004
【図４】
0005644641.tif 000005
【図５】
0005644641.tif 000006
【図６】
0005644641.tif 000007
【図７】
0005644641.tif 000008
【図８】
0005644641.tif 000009
【図９】
0005644641.tif 000010
【図１０】
0005644641.tif 000011
【図１１】
0005644641.tif 000012
【図１２】
0005644641.tif 000013
【図１３】
0005644641.tif 000014
【図１４】
0005644641.tif 000015
【図１５】
0005644641.tif 000016
【図１６】
0005644641.tif 000017
【図１７】
0005644641.tif 000018
【図１８】
0005644641.tif 000019
【図１９】
0005644641.tif 000020
【図２０】
0005644641.tif 000021